(57)【要約】      （修正有）【課題】庫内の冷気の循環効率を向上させるワインセラーを提供する。【解決手段】冷却器４の上方直近にはファン構造が配置され、後サイドプレートによりファン５２の吸い込み側に開口部５３ａが形成されるので、冷却器４により冷却された空気を効率的に吸い込むことができる。ファン５２は一定角度をもって配置されているため、冷気は、ファン５２の角度に応じて斜め上方に送出され、庫内に収納しているワインに直接冷風が当たらないようになると共に天井に当たった冷気は、そのまま庫内を循環して奥側の吸気口６に流れ、再び冷却器４に流れて冷却され、上記同様にファン５２から庫内に送出される。【選択図】図６
0003211879.tif 000002
【実用新案登録請求の範囲】
【請求項１】
庫内に冷風を送るファンと、庫内との仕切となる仕切板に対して取り付けた場合に前記ファンの送風方向が斜め上方になるような角度を有すると共に前記ファンを取り付け状態にて当該ファンの前側面で且つ前記仕切板までの間に前サイドプレートを形成した筐体とからなるファン構造を、冷却器の上方直近に配置したことを特徴とするワインセラー。
【請求項２】
前記ファンの後側面に設けた後サイドプレートにより冷気吸引用の開口部を前記冷却器の方向に向けて形成したことを特徴とする請求項１に記載のワインセラー。
【考案の詳細な説明】
【技術分野】
【０００１】
本考案は、ワインを適切な温度で保管するためのワインセラーに関するものである。
【背景技術】
【０００２】
従来から特許文献１に記載されているようなワインセラーが知られている。このワインセラーは、冷却器とファンとが庫内の奥側の面内に上下方向に配置された構造である。
【先行技術文献】
【特許文献】
【０００３】
【特許文献１】実用新案登録第３１９９８１５号公報
【考案の概要】
【考案が解決しようとする課題】
【０００４】
従来のワインセラーは、内部にワインを収納した状態で如何にして庫内温度を制御するかが課題であり、係る課題に対しては、例えば、ファンの風量等を制御することで庫内温度を一定に保つ等の工夫がなされている。この考案は、係る課題に対して新しい解決手段を提供するためになされたものである。
【課題を解決するための手段】
【０００５】
本考案に係るワインセラーは、庫内に冷風を送るファンと、庫内との仕切となる仕切板に対して取り付けた場合に前記ファンの送風方向が斜め上方になるような角度を有すると共に前記ファンを取り付け状態にて当該ファンの前側面で且つ前記仕切板までの間に前サイドプレートを形成した筐体とからなるファン構造を、冷却器の上方直近に配置したことを特徴とする。また、前記ファンの後側面に設けた後サイドプレートにより冷気吸引用の開口部を前記冷却器の方向に向けて形成するようにするのが好ましい。
【図面の簡単な説明】
【０００６】
【図１】この考案のワインセラーのファン構造を示す斜視図である。
【図２】図１に示したファン構造の側面図である。
【図３】図１に示したファン構造を仕切板に取り付けた状態を示す説明図である。
【図４】図１に示したワインセラーの内部構造を示す正面視の説明図である。
【図５】この考案のワインセラーのファン構造による冷風の循環経路を示す模式図である。
【図６】図５の一点鎖線内の拡大図である。
【考案を実施するための形態】
【０００７】
図１は、この考案のワインセラーのファン構造を示す斜視図である。図２は、図１に示したファン構造の側面図である。図４は、図１に示したワインセラーの内部構造を示す正面視の説明図である。このワインセラー１００は、ワインを貯蔵する内部空間を有する本体１と、当該本体１前面に設けた扉２とを備える。本体１は、壁面がそれぞれ断熱材を備えた内壁で外部から断熱されており、冷却に用いるコンプレッサーは、前記内部空間である庫内の背面側下部に配置されている。また、本体１の奥側には、仕切板３が配置されている。
【０００８】
図３は、図１に示したファン構造を仕切板に取り付けた状態を示す説明図である。仕切板３は、本体１の裏板１ａとの間に空間Ｓを形成する。当該空間Ｓには、前記コンプレッサーで圧縮された冷媒を通す管等により構成した冷却器４と、前記庫内に冷気を送り込むファン構造５とが配置されている。前記ファン構造５は、冷却器４の上方直近に配置されている。前記仕切板３の前記冷却器４の下側位置には、庫内の空気を吸入する吸気口６が設けられている。本考案において、前記冷却器４の構造は、下方からの空気を冷却して上方に送り出す構成のものであれば、同図に示すものに限定されない。
【０００９】
前記ファン構造５は、四角形状の略筒状の筐体５１にファン５２を一定角度上向きに傾けて設けた構造である。ファン５２は、庫内に冷風を送るためのものである。下部には冷気吸引用の開口部５３ａが設けられる。正面側及び背面側は開口部５３ｂ，５３ｃとなる。正面側の開口部５３ｂには、円形の穴を設けた板状体５４が設けられており、この開口部５３ｂからファン５２のプロペラ型の回転羽５５が露出する。ファン５２は、四角形状の枠体の内部に前記回転羽５５が配置され、この回転羽５５の中央にモータが内蔵された構造である。正面側の開口部５３の板状体５４は、一定の角度で傾斜しており、ファン５２の枠体５６を取り付けることで、ファン５２自体が当該角度で筐体５１内部に固定される。これにより、仕切板３に対して取り付けた状態で前記ファン５２の送風方向が庫内に対して斜め上方になる。一方、背面側の開口部５３ｃは、ファン５２を筐体５１に固定した後は、本体１の裏面に固定することで塞がれるか又は蓋を設けて塞がれる。
【００１０】
前記冷気吸引用の開口部５３ａは、筐体５１の下面全体に開口した形状とするのが好ましい。また、スリット等により開口部５３ａを形成しても良い（図示省略）。また、ファン５２に角度を設けることで、冷却器４からの冷気の吸い込み量を向上できる。また、ファン５２を筐体５１に固定した状態で、ファン５２の周囲に当該筐体５１で構成されたサイドプレートが形成される。ファン５２の正面に形成されるサイドプレートを前サイドプレート６１とし、ファン５２の後ろに形成されるサイドプレートを後サイドプレート６２とする。
【００１１】
前サイドプレート６１は、前記ファン５２を仕切板３に取り付けた状態で当該ファン５２の前側面の仕切板３までの間に形成される。当該前サイドプレート６１は仕切板３に接続されているので、ファン５２から送り出した冷気を損なうことなく、庫内に送ることができる。前サイドプレート６１の上側は筐体５１の壁が存在し、下側は、斜めに配置された板状体５４で収斂しているので、前サイドプレート６１により冷気の方向が大きく制御される。
【００１２】
後サイドプレート６２は、前記ファン５２の後側面に前記筐体５１の一部として形成され、この後サイドプレート６２により前記冷気吸引用の開口部５３ａが冷却器４の方向に向けて形成される。このため、冷却器４で冷却された空気の吸引を効率的に行える。また、ファン構造５が前記冷却器４の上方直近に配置されていることから、冷却された空気が前記開口部５３ａから取り込まれやすい。後サイドプレート６２には、ファン５２の枠体５６を筐体５１にワンタッチで取り付ける爪６３がレバー状に一体成形されている。この爪６３の形成により、ファン５２の固定を容易ならしめるが、多少の穴が後サイドプレート６２に空くものの、当該爪６３を比較的小さいものにすることで、冷気の取り込みには影響が少ないものとできる。即ち、ファン５２の固定の容易性と冷気の取り込みとを両立できる。また、本構成は、別の観点では、爪６３を後サイドプレート６２に形成してファン５２を固定するが、前サイドプレート６１には形成せず、ファン５２からの冷気の送風効率を重視するものとなる。なお、穴を設けず内部に接着等によりファン５２を固定しても良い。
【００１３】
前記ファン５２の角度は、ファン構造５の本体１への取付位置により好ましい角度が決定される。ファン５２の角度は、角度が大きくなると奥行きのスペースがとられ、角度が小さいとワインに直接冷風が当たり且つ庫内で空気が循環し難くなることから、仕切板３に対して５度〜４５度までの範囲で設定するのが良い。
【００１４】
図５は、この考案のワインセラーのファン構造による冷風の循環経路を示す模式図である。図６は、図５の一点鎖線内の拡大図である。同図に示すように、庫内の空気は前記吸気口６から吸い込まれ、冷却器４を通って冷却される。図中、空気の流れは矢印で示すものとする。冷却器４の上方直近にはファン構造５が配置されており、このファン５２の回転により冷却された冷気がファン５２に吸い込まれる。このとき、後サイドプレート６２によりファン５２の吸い込み側に開口部５３ａが形成されているので、冷却器４により冷却された空気を効率的に吸い込むことができる。即ち、単にファン５２を取り付けたのみでは、冷却器４により冷却されていない空気や冷却された後に温度低下した空気まで取り込むことになるが、本考案の構成によれば、冷却器４により冷却された空気を集中的かつ効率的に取り込むことから、庫内の冷却効率が向上すると共に冷気の温度を予測しやすく庫内温度の制御に好適となる。
【００１５】
また、前記ファン５２は一定角度をもって配置されているため、冷気は、ファン５２の角度に応じて斜め上方に送出される。斜め上方に冷気を出すことにより、庫内に収納しているワインＷに直接冷風が当たらないようになると共に、庫内の天井に対して冷気が斜めに当たる。天井に当たった冷気は、そのまま庫内の前面に流れ、扉２の内面に当たり、そのまま下降する。下降した冷気は、庫内を上下に仕切る棚に当たり、そのまま奥側の吸気口６に流れる。この空気は、ワインＷの周囲を流れてその際の熱交換で温度が多少上昇している。この空気は再び吸気口６から冷却器４に流れて冷却され、上記同様にファン５２から庫内に送出される。庫内の循環経路は、基本的にはこのように構成されるので、ワインＷが障害となって冷気の流れが大きく変化することを防止できる。
【００１６】
このように、ファン５２に上向きに適切な角度を持たせることで、冷却器４からの吸引効率を向上させると共に冷気を斜め上に送出して冷気がワインＷに直接当たることを回避し、且つ庫内での循環を良くする。また、ファン構造５の後サイドプレート６２により形成された開口部５３ａが冷却器４に向いていることで、冷却器４により冷却された冷気がファン５２に効率的に取り込まれる。また、ファン５２が角度を持つことで、垂直方向に対して直交方向に向いている場合（仕切板３にそのまま取り付けた場合）に比べて、吸引効率が高くなる。
【符号の説明】
【００１７】
１００  ワインセラー
１  本体
２  扉
３  仕切板
４  冷却器
５  ファン構造
６  吸気口
５１  筐体
５２  ファン
５３  開口部
Ｗ  ワイン
【図１】
0003211879.tif 000003
【図２】
0003211879.tif 000004
【図３】
0003211879.tif 000005
【図４】
0003211879.tif 000006
【図５】
0003211879.tif 000007
【図６】
0003211879.tif 000008